(57)【特許請求の範囲】
【請求項１】
空気吸込口及び空気吹出口を有する筐体と、前記筐体内に配置された熱交換器と、前記熱交換器の空気吸い込み側に配置されたフィルターと、室内空気を前記空気吸込口より吸い込み前記フィルター及び熱交換器を通してから前記空気吹出口より吹き出す送風ファンと、前記フィルターに捕集された塵埃を除去する清掃装置とを備えた空気調和機において、
前記清掃装置は、
前記フィルターに捕集された塵埃を掃き取る掃除用刷毛と、
前記フィルターの方向に歯先が向かう第１櫛歯と、
前記フィルターと前記第１櫛歯との間に位置し、前記第１櫛歯の方向に歯先が向かう第２櫛歯と、
前記第１櫛歯と前記第２櫛歯の下方に位置し、前記掃除用刷毛により掃き取られた塵埃を貯留する集塵容器と、を有し、
前記掃除用刷毛が前記第１櫛歯又は前記第２櫛歯に接触する際、前記掃除用刷毛の一部が前記第１櫛歯又は前記第２櫛歯に接触し、その後、前記掃除用刷毛の移動にともなって、前記掃除用刷毛と前記第１櫛歯又は前記第２櫛歯の接触部分が増大し、
前記第１櫛歯又は前記第２櫛歯の歯先を結ぶ線は、前記掃除用刷毛の移動方向に対して傾斜する空気調和機。
【請求項２】
空気吸込口及び空気吹出口を有する筐体と、前記筐体内に配置された熱交換器と、前記熱交換器の空気吸い込み側に配置されたフィルターと、室内空気を前記空気吸込口より吸い込み前記フィルター及び熱交換器を通してから前記空気吹出口より吹き出す送風ファンと、前記フィルターに捕集された塵埃を除去する清掃装置とを備えた空気調和機において、
前記清掃装置は、
前記フィルターに捕集された塵埃を掃き取る掃除用刷毛と、
前記フィルターの方向に歯先が向かう第１櫛歯と、
前記フィルターと前記第１櫛歯との間に位置し、前記第１櫛歯の方向に歯先が向かう第２櫛歯と、
前記第１櫛歯と前記第２櫛歯の下方に位置し、前記掃除用刷毛により掃き取られた塵埃を貯留する集塵容器と、を有し、
前記第１櫛歯の歯先は前記第２櫛歯の歯底と対向し、前記第２櫛歯の歯先は前記第１櫛歯の歯底に対向する空気調和機。
【請求項３】
空気吸込口及び空気吹出口を有する筐体と、前記筐体内に配置された熱交換器と、前記熱交換器の空気吸い込み側に配置されたフィルターと、室内空気を前記空気吸込口より吸い込み前記フィルター及び熱交換器を通してから前記空気吹出口より吹き出す送風ファンと、前記フィルターに捕集された塵埃を除去する清掃装置とを備えた空気調和機において、
前記清掃装置は、
前記フィルターに捕集された塵埃を掃き取る掃除用刷毛と、
前記フィルターの方向に歯先が向かう第１櫛歯と、
前記フィルターと前記第１櫛歯との間に位置し、前記第１櫛歯の方向に歯先が向かう第２櫛歯と、
前記第１櫛歯と前記第２櫛歯の下方に位置し、前記掃除用刷毛により掃き取られた塵埃を貯留する集塵容器と、
前記フィルターと前記第２櫛歯との間に、毛先が前記第２櫛歯の方向に傾斜した第２除去ブラシとを有し、
前記掃除用刷毛が前記第２櫛歯から前記第２除去ブラシに向かって移動して、前記掃除用刷毛が前記第２除去ブラシに接触する際、前記掃除用刷毛の一部が前記第２除去ブラシに接触し、その後、前記掃除用刷毛の移動にともなって、前記掃除用刷毛と前記第２除去ブラシの接触部分が増大する空気調和機。
【請求項４】
空気吸込口及び空気吹出口を有する筐体と、前記筐体内に配置された熱交換器と、前記熱交換器の空気吸い込み側に配置されたフィルターと、室内空気を前記空気吸込口より吸い込み前記フィルター及び熱交換器を通してから前記空気吹出口より吹き出す送風ファンと、前記フィルターに捕集された塵埃を除去する清掃装置とを備えた空気調和機において、
前記清掃装置は、
前記フィルターに捕集された塵埃を掃き取る掃除用刷毛と、
前記フィルターの方向に歯先が向かう第１櫛歯と、
前記フィルターと前記第１櫛歯との間に位置し、前記第１櫛歯の方向に歯先が向かう第２櫛歯と、
前記第１櫛歯と前記第２櫛歯の下方に位置し、前記掃除用刷毛により掃き取られた塵埃を貯留する集塵容器と、
前記第１櫛歯に対して前記フィルターと反対側に、毛先が前記第１櫛歯の方向に傾斜した第１除去ブラシとを有し、
前記掃除用刷毛が前記第１櫛歯から前記第１除去ブラシに向かって移動して、前記掃除用刷毛が前記第１除去ブラシに接触する際、前記掃除用刷毛の一部が前記第１除去ブラシに接触し、その後、前記掃除用刷毛の移動にともなって、前記掃除用刷毛と前記第１除去ブラシの接触部分が増大する空気調和機。
【請求項５】
空気吸込口及び空気吹出口を有する筐体と、前記筐体内に配置された熱交換器と、前記熱交換器の空気吸い込み側に配置されたフィルターと、室内空気を前記空気吸込口より吸い込み前記フィルター及び熱交換器を通してから前記空気吹出口より吹き出す送風ファンと、前記フィルターに捕集された塵埃を除去する清掃装置とを備えた空気調和機において、
前記清掃装置は、
前記フィルターに捕集された塵埃を掃き取る掃除用刷毛と、
前記フィルターの方向に歯先が向かう第１櫛歯と、
前記フィルターと前記第１櫛歯との間に位置し、前記第１櫛歯の方向に歯先が向かう第２櫛歯と、
前記第１櫛歯と前記第２櫛歯の下方に位置し、前記掃除用刷毛により掃き取られた塵埃を貯留する集塵容器と、を有し、
前記第１櫛歯又は前記第２櫛歯の歯先は、前記集塵容器側に向いた突起を有する空気調和機。
【請求項６】
請求項１乃至５の何れかにおいて、前記掃除用刷毛を前記フィルターから前記第１櫛歯に向かって移動させることにより、前記掃除用刷毛により前記フィルターから掃き取られた塵埃を、前記第１櫛歯で梳いて、前記集塵容器に移送させ、
その後反転して、前記掃除用刷毛を前記第１櫛歯から前記第２櫛歯に向かって移動させることにより、前記掃除用刷毛により前記フィルターから掃き取られた塵埃を、前記第２櫛歯で梳いて、前記集塵容器に移送させる空気調和機。
【請求項７】
請求項６において、前記掃除用刷毛を前記フィルター上であって前記第２櫛歯から前記フィルターの方向に移動させる際は、前記掃除用刷毛を前記フィルターに接触させずに前記フィルター上方を移動させる空気調和機。
【請求項８】
請求項１乃至７の何れかにおいて、前記清掃装置が運転停止しているときは、前記掃除用刷毛が前記第１櫛歯と前記第２櫛歯との間に位置する空気調和機。
【発明の詳細な説明】
【技術分野】
【０００１】
本発明はフィルターを清掃する清掃機構を備えた空気調和機に関する。
【背景技術】
【０００２】
空気調和機は、室内空気を熱交換器に循環させて、加熱，冷却，除湿等により調和された空気を室内に吹き出すことにより、室内を空気調和する。この空気調和機内を循環する空気中の塵埃は、空気調和機の室内空気吸込口に配置されたフィルターにより除去される。しかし、フィルターで除去した塵埃が蓄積すると、通風抵抗が大きくなり、熱交換性能が低下する。
【０００３】
これに対して、特許文献１は、適宜な時期にフィルターを清掃する清掃機構を備えた空気調和機を開示する。特許文献１の空気調和機は、フィルターに捕集された塵埃を掃き取る掃除用刷毛と、掃除用刷毛で掃き取られた塵埃を受け取る除去ブラシと、除去ブラシに付着している塵埃を受け取る塵埃戻り防止ブラシと、塵埃戻り防止ブラシから移送された塵埃を貯留する集塵容器とを有する清掃装置を備える。
【先行技術文献】
【特許文献】
【０００４】
【特許文献１】特開２００８−０５７８４６号公報
【発明の概要】
【発明が解決しようとする課題】
【０００５】
本発明は、より簡易な構造で信頼性が高い清掃機構を備えた空気調和機を提供することを課題とする。
【課題を解決するための手段】
【０００６】
上記課題を解決するために本発明の空気調和機は、空気吸込口及び空気吹出口を有する筐体と、筐体内に配置された熱交換器と、熱交換器の空気吸い込み側に配置されたフィルターと、室内空気を空気吸込口より吸い込みフィルター及び熱交換器を通してから空気吹出口より吹き出す送風ファンと、フィルターに捕集された塵埃を除去する清掃装置とを備え、清掃装置は、フィルターに捕集された塵埃を掃き取る掃除用刷毛と、フィルターの方向に歯先が向かう第１櫛歯と、フィルターと第１櫛歯との間に位置し第１櫛歯の方向に歯先が向かう第２櫛歯と、第１櫛歯と第２櫛歯との下方に位置し掃除用刷毛により掃き取られた塵埃を貯留する集塵容器とを有し、前記掃除用刷毛が前記第１櫛歯又は前記第２櫛歯に接触する際、前記掃除用刷毛の一部が前記第１櫛歯又は前記第２櫛歯に接触し、その後、前記掃除用刷毛の移動にともなって、前記掃除用刷毛と前記第１櫛歯又は前記第２櫛歯の接触部分が増大し、前記第１櫛歯又は前記第２櫛歯の歯先を結ぶ線は、前記掃除用刷毛の移動方向に対して傾斜する。
【発明の効果】
【０００７】
本発明によれば、より簡易な構造で信頼性が高い清掃機構を備えた空気調和機を提供することができる。
【図面の簡単な説明】
【０００８】
【図１】空気調和機の全体構成図。
【図２】室内機の内部上面図。
【図３】室内機の側断面図。
【図４】清掃機構の斜視図。
【図５】集塵機構の上面図。
【図６】集塵機構の斜視図。
【図７】集塵機構の断面図。
【図８】集塵機構の櫛歯の拡大図。
【図９】清掃動作説明図。
【図１０】刷毛動作説明図。
【図１１】刷毛動作説明図。
【図１２】刷毛動作説明図。
【図１３】刷毛動作説明図。
【図１４】刷毛動作説明図。
【図１５】刷毛動作説明図。
【図１６】刷毛動作説明図。
【図１７】刷毛動作説明図。
【図１８】刷毛動作説明図。
【図１９】刷毛動作説明図。
【図２０】除去ブラシを設けた集塵機構の断面図。
【図２１】櫛歯の歯先に突起を設けた集塵機構の断面図。
【発明を実施するための形態】
【０００９】
以下、本発明の空気調和機の実施例を図面を用いて説明する。まず、空気調和機の全体構成について図１及び図３を用いて説明する。
【００１０】
図１は空気調和機の全体構成図である。空気調和機１は、室内機２，室外機６、及び室内機２に操作信号を送信するリモコン５を備える。室内機２及び室外機６は接続配管８で接続される。室内機２は、筐体２１内に、後述する熱交換器３３等の内部構造体を備える。空気調和機１は、室内空気を空気吸込口２７から吸い込み、熱交換器３３で加熱，冷却，除湿等された室内空気を、空気吹出口２９から室内に吹き出すことにより、室内を空気調和する。
【００１１】
図３は室内機の側断面図である。室内機２は、室内空気を吸い込む空気吸込口２７を室内機２上部に備える。空気吸込口２７の下流側には、室内空気中の塵埃を除去するフィルター２３１が空気吸込口２７を覆うように配置される。フィルター２３１の下流であって、筐体２１の中央部には、略逆Ｖ字状に形成され熱交換器３３が配置される。熱交換器３３の下流には、熱交換器３３の幅と略等しい長さの貫流ファン方式の送風ファン３１１が配置される。熱交換器の下端部には露受皿３５が配置される。露受皿３５は、冷房運転時や除湿運転時に熱交換器３３に発生する凝縮水を受ける。露受皿３５に集められた凝縮水はドレン配管３７を通して室外に排出される。熱交換器３３の下流であって、室内機２の下部には、熱交換器３３で加熱，冷却，除湿等された室内空気を室内に吹き出す空気吹出口２９を備える。空気吹出口２９には、吹き出される空気を左右方向に偏向する左右風向板２９５、及び、上下方向に偏向する上下風向板２９１を備える。
【００１２】
空気調和機１において、まず、送風ファン３１１を運転することで、室内空気を空気吸込口２７から室内機２内に吸い込む。その際、フィルター２３１により空気中の塵埃が除去される。その後、室内機２内に吸い込まれた室内空気は、熱交換器３３で加熱，冷却，除湿等されて、送風ファン３１１を介して、空気吹出口２９から室内に吹き出される。空気吹出口２９から室内に吹き出される調和された空気は、左右風向板２９５及び上下風向板２９１により、左右方向及び上下方向が偏向される。このようにして、室内空気を空気吸込口２７から吸い込み、熱交換器３３で加熱，冷却，除湿等された室内空気を空気吹出口２９から室内に吹き出すことにより、室内を空気調和する。
【００１３】
次に、フィルター２３１の清掃機構２３０について図２及び図４を用いて説明する。図２は室内機の内部上面図である。図４は清掃機構の斜視図である。
【００１４】
清掃機構２３０は、掃除用刷毛２６７と、フィルター２３１に捕集された塵埃を掃き取るように図２及び図４の左右方向（室内機２の長手方向）に掃除用刷毛２６７を移動させる移動機構２３３と、掃除用刷毛２６７により掃き取られた塵埃を収集する集塵機構２７０とを備える。
【００１５】
移動機構２３３は、掃除用刷毛２６７を保持する刷毛保持部２６２と、刷毛保持部２６２を案内する案内枠２３４と、刷毛保持部２６２を移動させる移動用モータ２４２とを備える。案内枠２３４は、フィルター２３１の室内機２背面側にレール２３５を、フィルター２３１の室内機２前面側に推進軸を備える。
【００１６】
案内枠２３４は、刷毛保持部２６２に保持された掃除用刷毛２６７がフィルター２３１及び集塵機構２７０上を図２及び図４の左右方向に移動するように、フィルター２３１及び集塵機構２７０を囲うように配置される。尚、フィルター２３１を案内枠２３４に固定して、フィルター２３１と案内枠２３４を一体に構成するようにしてもよい。
【００１７】
推進軸２４３は多角形断面を有し、案内枠２３４に設けられた図示しない軸受に軸支される。推進軸２４３の一端は、図示しない歯車を介して、案内枠２３４に固定された移動用モータ２４２に連結される。推進軸２４３にはスクリュウ，キャリッジ２６１が緩挿され、スクリュウは案内枠２３４に設けられた、推進軸２４３と平行なラックに噛合している。刷毛保持部２６２は、推進軸２４３が保持するキャリッジ２６１とレール２３５とにより保持され、フィルター２３１を跨ぐように配置される。
【００１８】
このような移動機構２３３において、移動用モータ２４２を回転させることで、推進軸２４３が回転し、図２及び図４の左右方向にスクリュウが移動する。スクリュウの移動に伴って、キャリッジ２６１に保持された刷毛保持部２６２が図２及び図４の左右方向に移動する。これにより、刷毛保持部２６２に保持された掃除用刷毛２６７が、フィルター２３１に捕集された塵埃を掃き取るようにフィルター２３１上を移動する。尚、移動用モータ２４２の回転方向を逆回転にすることにより、キャリッジ２６１の移動方向を変更することができる。
【００１９】
次に、集塵機構２７０について、図５〜図８を用いて説明する。図５は集塵機構の上面図、図６は集塵機構の斜視図、図７は集塵機構の断面図、図８は集塵機構の櫛歯の拡大図である。
【００２０】
集塵機構２７０は、フィルター２３１の方向に歯先が向かう第１櫛歯２７１と、フィルター２３１と第１櫛歯２７１との間に位置し第１櫛歯２７１の方向に歯先が向かう第２櫛歯２７３と、第１櫛歯２７１と第２櫛歯２７３の下方に位置し掃除用刷毛により掃き取られた塵埃を貯留する集塵容器２８４とを有する。つまり、集塵機構２７０は、収容開口２７０ｂを挟んで対向するように第１櫛歯２７１及び第２櫛歯２７３を備える。
【００２１】
収容開口２７０ｂは掃除用刷毛２６７の毛束２６９が収まる大きさとする。第１櫛歯２７１の歯先を結ぶ線（第１包絡線２７１ｄ）及び第２櫛歯２７３の歯先を結ぶ線（第２包絡線２７３ｄ）は、掃除用刷毛２６７の刷毛幅γ方向（掃除用刷毛２６７の移動方向）に対して傾斜する（第１櫛歯２７１の歯先は傾斜角αで交差する。また、第２櫛歯２７３の歯先は傾斜角βで交差する）。
【００２２】
第１櫛歯２７１の歯先と第２櫛歯２７３の歯先が互いにずれるように配置する。つまり、第１櫛歯２７１の歯先は第２櫛歯２７３の歯底と対向し、第２櫛歯２７３の歯先は第１櫛歯２７１の歯底に対向するように配置する。このように、第１櫛歯２７１の歯先と第２櫛歯２７３の歯先が互いにずれるように配置するので、掃除用刷毛２６７の進行方向により、第１櫛歯２７１の歯先と第２櫛歯２７３の歯先がそれぞれ掃除用刷毛２６７を梳く位置がずれるので、掃除用刷毛２６７をより細かなピッチで梳くことができる。掃除用刷毛２６７をより細かなピッチで梳くことにより、掃除用刷毛２６７に付着した塵埃をより除去することができる。
【００２３】
また、フィルター２３１と第２櫛歯２７３との間に、毛先が第２櫛歯２７３の方向に傾斜した第２除去ブラシ２７５を備える。この第２除去ブラシ２７５は、第１櫛歯２７１の歯先（又は第２櫛歯２７３の歯先）と同様に、掃除用刷毛２６７の刷毛幅γ方向（掃除用刷毛２６７の移動方向）に対して傾斜する。
【００２４】
掃除用刷毛２６７は、掃除用刷毛２６７の進行方向に、刷毛押え２６８を備える。刷毛押え２６８により、掃除用刷毛２６７の変形を抑制する。
【００２５】
次に、清掃機構の構成及び動作について図９を用いて説明する。図９は清掃動作説明図である。
【００２６】
フィルター２３１の側方には、清掃動作が行われていないときに掃除用刷毛２６７が待機する待機位置（図９Ａ）が位置する。
【００２７】
清掃動作が開始されると、移動機構２３３により、待機位置に待機していた掃除用刷毛２６７をフィルター２３１に向かって移動させる。このとき、掃除用刷毛２６７の毛先は、凹部となる待機位置の開放状態から傾斜部を通って、待機位置より少し高めに位置するフィルター２３１面に徐々に毛先を曲げながら乗り上げ、フィルター２３１と摺接する。フィルター２３１に摺接した掃除用刷毛２６７は、さらに集塵機構２７０の方向にフィルター２３１を移動してフィルター２３１を掃引し（図９Ｃ）、塵埃２３６を掃き取る。
【００２８】
フィルター２３１を掃引した掃除用刷毛２６７は、掃き取った塵埃２３６と共に集塵機構２７０に向かう（図９Ｄ）。塵埃２３６を掃き取った掃除用刷毛２６７は、掃除用刷毛２６７が折返位置２７０ａ（図９Ｊ）で折り返して集塵機構２７０を往復する際に、第１櫛歯２７１及び第２櫛歯２７３により梳かれて、塵埃２３６を分離し集塵容器２８４内に移動させる。具体的には、掃除用刷毛２６７をフィルター２３１から第１櫛歯２７１に向かって移動させることにより、掃除用刷毛２６７によりフィルター２３１から掃き取られた塵埃を第１櫛歯２７１で梳いて集塵容器２８４に移送させ、その後、折返位置２７０ａ（図９Ｊ）反転して、掃除用刷毛２６７を第１櫛歯２７１から第２櫛歯２７３に向かって移動させることにより、掃除用刷毛２６７によりフィルター２３１から掃き取られた塵埃を第２櫛歯２７３で梳いて集塵容器２８４に移送させる。
【００２９】
次に、第１櫛歯及び第２櫛歯の働きについて図１０〜図１９を用いて説明する。図１０〜図１９は刷毛動作説明図である。
【００３０】
図１０に示すように、集塵機構２７０がフィルター２３１の側方に設けられる。刷毛保持部２６２の移動に伴って、フィルター２３１に摺接して掃除用刷毛２６７が掃き集めたフィルター２３１上の塵埃２３６は、第２除去ブラシ２７５及び第２櫛歯２７３を通過する。上述したように、第２除去ブラシ２７５は、毛先が第２櫛歯２７３の方向に傾斜しているため、掃除用刷毛２６７がフィルター２３１から第２櫛歯２７３に向かって移動する方向に対して順目となる。従って、掃除用刷毛２６７により掃き取られた塵埃２３６は、第２除去ブラシ２７５に付着せず、第２櫛歯２７３を通過して、収容開口２７０ｂに至る。
【００３１】
その後、図１１に示すように、第２櫛歯２７３を通過した掃除用刷毛２６７は、収容開口２７０ｂにおいて毛先が開放されて毛束２６９が下向きになり、掃除用刷毛２６７に掃き取られた塵埃２３６の一部が集塵容器２８４に落下する。
【００３２】
図１２に示すように、落下しなかった塵埃２３６は掃除用刷毛２６７の毛束２６９に付着したまま第１櫛歯２７１に到達し、塵埃２３６の一部は第１櫛歯２７１に梳き取られて集塵容器２８４に落下する。集塵容器２８４に落下しなかった塵埃２３６の一部は第１櫛歯２７１に付着し、他の塵埃２３６は掃除用刷毛２６７に付着し続ける。
【００３３】
ここで、第１櫛歯２７１は、上述したように、掃除用刷毛２６７の刷毛幅方向に対して傾斜するので、掃除用刷毛２６７が第１櫛歯２７１の歯先に接触する際、掃除用刷毛２６７の一部が第１櫛歯２７１に接触し、その後、掃除用刷毛２６７の移動にともなって、掃除用刷毛２６７と第１櫛歯２７１の接触部分が増大する。従って、移動機構の負荷は、掃除用刷毛２６７が第１櫛歯２７１と接触してから徐々に増加し、その後、掃除用刷毛２６７と第１櫛歯２７１との接触の増加に従って、移動機構の負荷も増加する。移動機構の負荷が急激には増大しないので、掃除用刷毛２６７と第１櫛歯２７１と衝撃が和らげられ、騒音，振動の発生が抑制される。また、振動部の磨耗も抑制されるので信頼性を向上できる。尚、説明は省略するが、第２櫛歯２７３も掃除用刷毛２６７の刷毛幅方向に対して傾斜しており、同様の効果を奏する。
【００３４】
その後、図１３に示すように、第１櫛歯２７１を通過した掃除用刷毛２６７は、集塵機構２７０の側方の折返位置２７０ａ（図９Ｊ）まで進み、反転する。
【００３５】
図１４に示すように、掃除用刷毛２６７は、折返位置２７０ａから収納開口２７０ｂに向かって第１櫛歯２７１上を移動する。このとき、図１５に示すように、掃除用刷毛２６７は、第１櫛歯２７１に付着している塵埃２３６を掃き取り、塵埃２３６の大部分を集塵容器２８４に落として収納開口２７０ｂに達する。
【００３６】
さらに、図１６に示すように、掃除用刷毛２６７に付着している塵埃２３６を、第２櫛歯２７３で梳き取る。このとき、第２櫛歯２７３により掃き取られた塵埃２３６の一部は集塵容器に落下し、僅かではあるが塵埃２３６の一部は第２櫛歯２７３に付着し続ける。このようにして、掃除用刷毛２６７により掃き取られたほとんどの塵埃２３６は集塵容器２８４に落下する。
【００３７】
次に、図１７に示すように、掃除用刷毛２６７を第２除去ブラシ２７５に摺接させる。第２除去ブラシ２７５の毛先の方向は掃除用刷毛２６７の移動方向と逆の逆目になるので、掃除用刷毛２６７に僅かに付着している塵埃２３６が、第２除去ブラシ２７５により除去される。このようにして、掃除用刷毛２６７に付着した塵埃がフィルター２３１に戻らないようにする。一方、第２除去ブラシ２７５により除去された塵埃は第２除去ブラシ２７５に留まるが、次回の清掃動作において掃除用刷毛２６７がフィルター２３１から集塵機構２７０に向かって第２除去ブラシ２７５上を移動する際に、第２除去ブラシ２７５の毛先は第２櫛歯２７３の方向に傾斜しているため、フィルター２３１で掃き取られた塵埃とともに第２除去ブラシ２７５に留まる塵埃も掃き取られ、集塵容器に移送される。このような第２除去ブラシにより、簡易な構造で、第２除去ブラシ上を往復運動させるのみで、掃除用刷毛２６７に付着した塵埃をフィルター２３１に戻るのを防止できるとともに、第２除去ブラシにより除去された塵埃を次回の清掃動作の際に集塵容器に移送することができる。
【００３８】
さらに、第２除去ブラシ２７５は、第１櫛歯２７１の歯先と同様に、掃除用刷毛２６７の刷毛幅方向に対して傾斜するので、掃除用刷毛２６７が第２櫛歯２７３から第２除去ブラシ２７５に向かって移動して、掃除用刷毛２６７が第２除去ブラシ２７５に接触する際、掃除用刷毛２６７の一部が第２除去ブラシ２７５に接触し、その後、掃除用刷毛２６７の移動にともなって、掃除用刷毛２６７と第２除去ブラシ２７５の接触部分が増大する。従って、掃除用刷毛２６７が第２除去ブラシ２７５と接触してから移動機構の負荷が徐々に増加し、その後、掃除用刷毛２６７と第２除去ブラシとの接触の増加に従って、移動機構の負荷も増加する。移動機構の負荷が急激には増大しないので、掃除用刷毛２６７と第２除去ブラシとの衝撃が和らげられ、騒音，振動の発生が抑制される。また、振動部の磨耗も抑制されるので信頼性を向上できる。
【００３９】
その後、図１９に示すように、掃除用刷毛２６７を回転させて、毛先をフィルター２３１から離して、待機位置（図９Ａ）まで移動させる。つまり、掃除用刷毛２６７を第２除去ブラシ２７５から待機位置（図９Ａ）まで移動させる際は、掃除用刷毛２６７をフィルター２３１に接触させずにフィルター２３１上方を移動させる。掃除用刷毛２６７の毛先をフィルター２３１から離して移動させるので、掃除用刷毛２６７を移動させる際のフィルター２３１との抵抗が少なくなり、掃除用刷毛２６７の移動速度を上げて移動させることで、清掃時間を短縮することができる。また、掃除用刷毛２６７とフィルター２３１との接触による磨耗も抑制することができる。その後、待機位置（図９Ａ）まで移動したら、掃除用刷毛２６７を回転させて、毛先を下方に向けて清掃動作を終了し、次回の清掃まで待機する。
【００４０】
このように、本実施例の空気調和機は、空気吸込口及び空気吹出口を有する筐体と、筐体内に配置された熱交換器と、熱交換器の空気吸い込み側に配置されたフィルターと、室内空気を空気吸込口より吸い込みフィルター及び熱交換器を通してから空気吹出口より吹き出す送風ファンと、フィルターに捕集された塵埃を除去する清掃装置とを備え、清掃装置は、フィルターに捕集された塵埃を掃き取る掃除用刷毛と、フィルターの方向に歯先が向かう第１櫛歯と、フィルターと第１櫛歯との間に位置し第１櫛歯の方向に歯先が向かう第２櫛歯と、第１櫛歯と第２櫛歯との下方に位置し掃除用刷毛により掃き取られた塵埃を貯留する集塵容器とを有する。このような本実施例の空気調和機によれば、固定された第１櫛歯及び第２櫛歯並びに集塵容器上を掃除用刷毛を往復移動させるのみで、掃除用刷毛を第１櫛歯及び第２櫛歯で梳くこと及び掃除用刷毛を第１櫛歯及び第２櫛歯の間の収納開口で解放することを繰り返して、掃除用刷毛に付着した塵埃を集塵容器に移送することができるので、より簡易な構造で信頼性が高く且つ装置の小型化を可能とした清掃機構を備えた空気調和機を提供することができる。
【００４１】
尚、本実施例においては、第１櫛歯２７１及び第２櫛歯２７３で一回ずつ掃除用刷毛２６７を梳いたが、その後、図１８に示すように、掃除用刷毛２６７をフィルター２３１の手前（図９Ｄ）で反転させ、図１０〜図１８の動作を複数回繰り返してもよい。これにより、１往復の清掃動作で取りきれなかった塵埃でも掃除用刷毛２６７から分離できるので、掃除用刷毛２６７に付着した塵埃２３６をより除去することができる。
【００４２】
また、本実施例においては、清掃装置が運転停止しているとき、掃除用刷毛２６７を図９Ａの待機位置で待機させたが、掃除用刷毛２６７を収納開口２７０ｂ（図９Ｇ、第１櫛歯２７１と第２櫛歯２７３との間）で待機させることもできる。この場合、待機時に収納開口２７０ｂが掃除用刷毛２６７の毛束２６９で塞がれるので、集塵機構２７０からの意図しない塵埃の飛散を防止できる。また、掃除用刷毛２６７の毛先が開放されているので、掃除用刷毛２６７の毛先が曲がるのを防止できる。
【００４３】
尚、フィルター２３１から折返位置２７０ａまで、掃除用刷毛２６７が摺接するフィルター２３１，第１櫛歯２７１，第２櫛歯２７３等の上面を同じ高さの平面にしてもよい。このように構成することにより、収納開口２７０ｂ面をフィルター２３１上面の延長上に置くことができ、掃除用刷毛２６７でフィルター２３１上を掃引した後に、引き続き、掃除用刷毛２６７を同一平面状で移動させて第１櫛歯２７１及び第２櫛歯２７３に摺接させることができる。掃除用刷毛２６７を同一平面状で移動させるので、掃除用刷毛２６７の移動機構が単純化でき、掃除用刷毛２６７を立体的に移動させる必要がないのでスペースも節約できる。
【００４４】
次に、図２０を用いて、第１除去ブラシをさらに設けた第２の実施例について説明する。図２０は第１除去ブラシを設けた場合の集塵機構の断面図である。
【００４５】
本実施例においては、第１櫛歯２７１と掃除用刷毛２６７の折返位置２７０ａとの間、つまり、第１櫛歯２７１に対してフィルター２３１と反対側に、毛先が第１櫛歯２７１の方向に傾斜した第１除去ブラシ２７４を備える。
【００４６】
掃除用刷毛２６７が第１櫛歯２７１から折返位置２７０ａに向かって移動する際に、第１除去ブラシ２７４の毛先が第１櫛歯２７１の方向に傾斜しているため、第１櫛歯２７１で梳き落とされなかった塵埃が第１除去ブラシ２７４に付着する。一方、第１除去ブラシ２７４により除去された塵埃は第１除去ブラシ２７４に留まるが、掃除用刷毛２６７が反転して折返位置２７０ａから第１櫛歯２７１に向かって移動する際に、第１除去ブラシ２７４の毛先が第１櫛歯２７１の方向に傾斜しているため、第１除去ブラシ２７４に留まる塵埃が掃除用刷毛２６７により掃き取られ、収納開口２から集塵容器に移送される。このような第１除去ブラシにより、簡易な構造で、第１除去ブラシ上で掃除用刷毛２６７を往復運動させるのみで、掃除用刷毛２６７から塵埃をより除去することができる。
【００４７】
尚、詳細な説明は省略するが、第１除去ブラシ２７４も第２除去ブラシと同様に、掃除用刷毛２６７の刷毛幅方向に対して傾斜する。従って、移動機構の負荷が急激に増大せず、掃除用刷毛２６７と第１除去ブラシとの衝撃が和らげられ、騒音，振動の発生が抑制される。また、振動部の磨耗も抑制されるので信頼性を向上できる。
【００４８】
次に、図２１を用いて、第１櫛歯及び／又は第２櫛歯の歯先に、集塵容器側に向いた突起を有する第３の実施例について説明する。図２１は第１櫛歯及び第２櫛歯の歯先に集塵容器側に向いた突起を設けた場合の集塵機構の断面図である。
【００４９】
本実施例においては、第１櫛歯２７１及び第２櫛歯２７３の歯先の下側に突起２７１ａ，２７３ａを設ける。掃除用刷毛２６７がそれぞれ第１櫛歯２７１及び第２櫛歯２７３の歯底から歯先に向けて移動するときに、歯と歯の間に入り込んだ掃除用刷毛２６７の毛先に付着していた塵埃を、突起２７１ａ，２７３ａに引っ掛けて掃除用刷毛２６７から分離する。突起２７１ａ，２７３ａにより掃除用刷毛２６７から分離した一部の塵埃は、重力により集塵容器に落下する。突起２７１ａ，２７３ａにより掃除用刷毛２６７から分離したが第１櫛歯２７１又は第２櫛歯２７３の歯先に付着した塵埃も、掃除用刷毛２６７の往復運動の際に、歯と歯の間に入り込んだ掃除用刷毛２６７の毛先に引っ掛かり集塵容器に落下する。このようにして、簡易な構造で、掃除用刷毛２６７に付着した塵埃をさらに除去することができる。
【００５０】
尚、上記各実施例においては、室内空気を吸い込む空気吸込口を室内機２の上面に備える場合について説明したが、室内空気を吸い込む空気吸込口を室内機２の前面等に備える場合は、その空気吸込口の下流側にフィルター及び本実施例の清掃機構を配置してもよい。
【符号の説明】
【００５１】
１  空気調和機
２  室内機
２７  空気吸込口
２９  空気吹出口
２３０  清掃機構
２３１  フィルター
２３３  移動機構
２６２  刷毛保持部
２６７  掃除用刷毛
２６７ｄ  刷毛の方向
２７０  集塵機構
２７０ｂ  収容開口
２７１  第１櫛歯
２７１ａ，２７３ａ  突起
２７１ｂ，２７３ｂ  歯先
２７１ｃ，２７３ｃ  歯底
２７１ｄ  第１の包絡線
２７３  第２櫛歯
２７３ｄ  第２の包絡線
２７４  第１除去ブラシ
２７５  第２除去ブラシ
２８４  集塵容器
【図１】
0005530944.tif 000002
【図２】
0005530944.tif 000003
【図３】
0005530944.tif 000004
【図４】
0005530944.tif 000005
【図５】
0005530944.tif 000006
【図６】
0005530944.tif 000007
【図７】
0005530944.tif 000008
【図８】
0005530944.tif 000009
【図９】
0005530944.tif 000010
【図１０】
0005530944.tif 000011
【図１１】
0005530944.tif 000012
【図１２】
0005530944.tif 000013
【図１３】
0005530944.tif 000014
【図１４】
0005530944.tif 000015
【図１５】
0005530944.tif 000016
【図１６】
0005530944.tif 000017
【図１７】
0005530944.tif 000018
【図１８】
0005530944.tif 000019
【図１９】
0005530944.tif 000020
【図２０】
0005530944.tif 000021
【図２１】
0005530944.tif 000022